(57)【要約】【課題】ロール状の媒体を保管する際の不具合を抑制する。【解決手段】ロール状の媒体Ｐに取り付ける取付部１６と、設置部１３を有し、第１の状態と該第１の状態から設置部１３を突出させた第２の状態とをとる外周部１５と、を備えることを特徴とするフランジ９。このような構成のフランジ９とすることで、ロール状の媒体Ｐを保管する際、該ロール状の媒体Ｐに損傷を与えることや、該ロール状の媒体Ｐが転がってしまう等の不具合を抑制することが可能になる。【選択図】図１
2016074537.tif 000002
【特許請求の範囲】
【請求項１】
ロール状の媒体を取り付ける取付部と、
設置部を有し、第１の状態と該第１の状態から前記設置部を突出させた第２の状態とをとる外周部と、を備えることを特徴とするフランジ。
【請求項２】
請求項１に記載のフランジにおいて、
前記設置部に接続され、前記外周部に対して移動可能なレバーを備え、
前記外周部は、前記レバーの移動に連動して前記第１の状態から前記第２の状態に変形することを特徴とするフランジ。
【請求項３】
請求項１又は２に記載のフランジにおいて、
前記外周部は、前記第２の状態として、前記設置部の突出量の異なる複数の状態を取ることが可能に構成されていることを特徴とするフランジ。
【請求項４】
請求項１から３のいずれか１項に記載のフランジにおいて、
前記外周部は、前記ロール状の媒体への取付方向から見て円形であることを特徴とするフランジ。
【請求項５】
請求項２に記載のフランジにおいて、
前記設置部を複数有するとともに、前記外周部には前記設置部の数に対応した複数の孔部が設けられ、
前記レバーと各々の前記設置部とは接続され、
前記外周部は、前記レバーの移動に連動して前記複数の孔部各々から前記設置部を突出させることで前記第１の状態から前記第２の状態に変形することを特徴とするフランジ。
【請求項６】
請求項１から５のいずれか１つに記載のフランジを保持する保持部を備えることを特徴とする前記ロール状の媒体の保持装置。
【請求項７】
請求項６に記載の保持装置において、
前記外周部は、前記フランジを前記保持部に保持させた状態では前記第１の状態をとり、前記フランジを前記保持部から取り外した状態では前記第２の状態をとることを特徴とする保持装置。
【請求項８】
請求項７に記載の保持装置において、
前記フランジは、前記設置部と接続されるとともに外部から力を受けることにより移動するカムを備え、前記カムの移動により前記第２の状態から前記第１の状態に変形し、
前記保持部は、前記フランジの脱着部を備え、
前記保持装置は、前記脱着部に前記フランジを取り付けることに伴って、前記カムが移動して、前記フランジが前記第２の状態から前記第１の状態に変形するよう構成されていることを特徴とする保持装置。
【請求項９】
請求項１から５のいずれか１つに記載のフランジを保持する保持部と、
前記保持部に保持された前記ロール状の媒体に記録する記録部と、
を備えることを特徴とする記録装置。
【発明の詳細な説明】
【技術分野】
【０００１】
本発明は、フランジ、ロール状の媒体の保持装置及び記録装置に関する。
【背景技術】
【０００２】
従来から、ロール状の媒体に取り付けるフランジが使用されている。また、該フランジを保持することでロール状の媒体を保持可能な保持装置が使用されており、さらに、該保持装置を備える記録装置が使用されている。  
例えば、特許文献１には、形状の異なる複数の状態を取ることが可能な可動フランジ、該可動フランジを装着可能な保持装置及び記録装置が開示されている。
【先行技術文献】
【特許文献】
【０００３】
【特許文献１】特開２０１３−１１２４７５号公報
【発明の概要】
【発明が解決しようとする課題】
【０００４】
しかしながら、ロール状の媒体に取り付ける従来のフランジは、ロール状の媒体をフランジに取り付けた状態で保持装置及び記録装置から取り外し、それを床などの設置面に設置させると、ロール状の媒体のロール径に等によっては、媒体が設置面に接触して媒体に損傷を与えることがあった。また、該ロール状の媒体がフランジと共に転がってしまう場合があった。このように、ロール状の媒体に取り付ける従来のフランジは、ロール状の媒体を保管する際、不具合を発生してしまうことがあった。  
なお、特許文献１に開示される保持装置は、フランジに媒体を装着する際にフランジの径を小さくできる構成であるが、ロール状の媒体のロール径が大きい場合、媒体が設置面に接触することがある。また、該ロール状の媒体がフランジと共に設置面を転がってしまうことを抑制する効果も十分ではない。
【０００５】
そこで、本発明の目的は、ロール状の媒体を保管する際の不具合を抑制することである。
【課題を解決するための手段】
【０００６】
上記課題を解決するための本発明の第１の態様のフランジは、ロール状の媒体を取り付ける取付部と、設置部を有し、第１の状態と該第１の状態から前記設置部を突出させた第２の状態とをとる外周部と、を備えることを特徴とする。
【０００７】
本発明の第２の態様のフランジは、前記第１の態様において、前記設置部に接続され、前記外周部に対して移動可能なレバーを備え、前記外周部は、前記レバーの移動に連動して前記第１の状態から前記第２の状態に変形することを特徴とする。
【０００８】
本発明の第３の態様のフランジは、前記第１又は第２の態様において、前記外周部は、前記第２の状態として、前記設置部の突出量の異なる複数の状態を取ることが可能に構成されていることを特徴とする。
【０００９】
本発明の第４の態様のフランジは、前記第１から第３のいずれか１つの態様において、前記外周部は、前記ロール状の媒体への取付方向から見て円形であることを特徴とする。
【００１０】
本発明の第５の態様のフランジは、前記第２の態様において、前記設置部を複数有するとともに、前記外周部には前記設置部の数に対応した複数の孔部が設けられ、前記レバーと各々の前記設置部とは接続され、前記外周部は、前記レバーの移動に連動して前記複数の孔部各々から前記設置部を突出させることで前記第１の状態から前記第２の状態に変形することを特徴とする。
【００１１】
本発明の第６の態様の保持装置は、前記第１から第５のいずれか１つの態様のフランジを保持する保持部を備えることを特徴とする。
【００１２】
本発明の第７の態様の保持装置は、前記第６の態様において、前記外周部は、前記フランジを前記保持部に保持させた状態では前記第１の状態をとり、前記フランジを前記保持部から取り外した状態では前記第２の状態をとることを特徴とする。
【００１３】
本発明の第８の態様の保持装置は、前記第７の態様において、前記フランジは、前記設置部と接続されるとともに外部から力を受けることにより移動するカムを備え、前記カムの移動により前記第２の状態から前記第１の状態に変形し、前記保持部は、前記フランジの脱着部を備え、前記保持装置は、前記脱着部に前記フランジを取り付けることに伴って、前記カムが移動して、前記フランジが前記第２の状態から前記第１の状態に変形するよう構成されていることを特徴とする。
【００１４】
本発明の第９の態様の記録装置は、前記第１から第５のいずれか１つの態様のフランジを保持する保持部と、前記保持部に保持された前記ロール状の媒体に記録する記録部と、を備えることを特徴とする。
【発明の効果】
【００１５】
本発明によれば、ロール状の媒体を保管する際の不具合を抑制することができる。
【図面の簡単な説明】
【００１６】
【図１】本発明の実施例１に係るフランジを取り付けてロール状の媒体を保持可能な保持部を備える記録装置（保持装置）を表す概略側面図。
【図２】本発明の実施例１に係るフランジを取り付けてロール状の媒体を保持可能な保持部を表す概略斜視図。
【図３】本発明の実施例１に係るフランジを取り付けてロール状の媒体を保持可能な保持部を表す概略正面図。
【図４】本発明の実施例１に係るフランジを表す概略斜視図。
【図５】本発明の実施例１に係るフランジの外周部が第１の状態をとっているときと第２の状態をとっているときとを表す保持部の概略正面図。
【図６】本発明の実施例１に係るフランジを表す概略図。
【図７】本発明の実施例１に係るフランジを表す概略図。
【図８】本発明の実施例１に係るフランジを表す概略図。
【図９】本発明の実施例１に係るフランジの外周部が第１の状態をとっているときと第２の状態をとっているときとを表すフランジの概略図。
【図１０】本発明の実施例１に係るフランジの内部構造を表す概略斜視図。
【図１１】本発明の実施例２に係るフランジの外周部が第１の状態をとっているときと第２の状態をとっているときとを表すフランジの概略図。
【図１２】本発明の実施例２に係るフランジの外周部が第１の状態をとっているときと第２の状態をとっているときとを表すフランジの概略断面図。
【図１３】本発明の実施例２に係るフランジの外周部が第１の状態をとっているときと第２の状態をとっているときとを表すフランジの内部構造の概略図。
【図１４】本発明の実施例２に係るフランジの外周部が第１の状態をとっているときと第２の状態をとっているときとを表すフランジの概略図。
【図１５】ロール状の媒体を保持可能な従来の保持部の概略正面図。
【発明を実施するための形態】
【００１７】
以下に、本発明の一実施例のフランジを取り付けてロール状の媒体を保持可能な保持装置としての記録装置について、添付図面を参照して詳細に説明する。
【００１８】
［実施例１］（図１〜図１０）  
図１は、本実施例の記録装置１を表す概略側面図である。  
図１で表されるように、本実施例の記録装置１は、ロール状の被記録媒体（媒体）Ｐを保持可能な保持部７としてのセット部２を備えている。そして、該セット部２から、被記録媒体Ｐの支持部であるプラテン３を介して、被記録媒体Ｐをロール状に巻き取って保持することが可能な保持部７としての巻取部４まで、被記録媒体Ｐを搬送方向Ａに搬送することが可能である。すなわち、セット部２から巻取部４までが記録装置１における被記録媒体Ｐの搬送経路であり、プラテン３は該搬送経路に設けられた被記録媒体Ｐの支持部である。なお、セット部２は第１の回転方向である回転方向Ｃに被記録媒体Ｐを回転して該被記録媒体Ｐを送出し、巻取部４は回転方向Ｃに回転して被記録媒体Ｐを巻き取る。なお、本実施例の記録装置１においては、保持部７である、セット部２及び巻取部４は、同様の構成である。
【００１９】
ここで、図１は、被記録媒体Ｐのロールの外側の面である第１の面Ｐ１に記録を行うことが可能な被記録媒体Ｐのセット状態を表している。この場合、セット部２を回転方向Ｃに回転する。一方、被記録媒体Ｐのロールの内側の面である第２の面Ｐ２に記録を行うことも可能であり、その場合、セット部２を回転方向Ｃとは逆の回転方向に回転する。  
そして、同様に、図１では、本実施例の巻取部４は被記録媒体Ｐの第１の面Ｐ１が外側になるように巻き取る状態であるので、巻取部４は回転方向Ｃに回転する。一方、第１の面Ｐ１が内側になるように巻き取ることも可能である。その場合は、巻取部４は回転方向Ｃとは逆の回転方向に回転する。
【００２０】
また、本実施例の記録装置１は、被記録媒体Ｐの搬送経路に、搬送方向Ａと交差する交差方向Ｂの回転軸を有するローラー対で構成される不図示の搬送部が設けられている。このような構成により、本実施例の記録装置１は、被記録媒体Ｐの搬送経路において、セット部２から送出された被記録媒体Ｐを搬送部が搬送し、搬送部により巻取部４まで搬送された該被記録媒体を巻取部４で巻き取る。
【００２１】
また、本実施例の記録装置１は、被記録媒体Ｐの搬送経路におけるプラテン３と対向する側に記録部としての記録ヘッド６が備えられている。記録装置１は、キャリッジ５を介して交差方向Ｂに記録ヘッド６を往復移動させながら、記録ヘッド６のノズル形成面から被記録媒体Ｐにインクを吐出させて、所望の画像を形成する。このような構成により、記録ヘッド６は、被記録媒体Ｐにインクを吐出して画像を形成することができる。
【００２２】
なお、本実施例の記録装置１は、往復移動しながら記録する記録ヘッド６を備えているが、インクを吐出するノズルを搬送方向Ａと交差する交差方向Ｂに複数設けた所謂ラインヘッドを備える記録装置でもよい。  
ここで、「ラインヘッド」とは、被記録媒体Ｐの搬送方向Ａと交差する交差方向Ｂに形成されたノズルの領域が、被記録媒体Ｐの交差方向Ｂ全体をカバー可能なように設けられ、記録ヘッド又は被記録媒体Ｐを相対的に移動させて画像を形成する記録装置に用いられる記録ヘッドである。なお、ラインヘッドの交差方向Ｂのノズルの領域は、記録装置が対応している全ての被記録媒体Ｐの交差方向Ｂ全体をカバー可能でなくてもよい。
【００２３】
また、本実施例の記録部は、被記録媒体Ｐにインクを吐出して記録することが可能な記録ヘッド６であるが、このような構成には限定されない。例えば、転写式の記録部などを使用してもよい。
【００２４】
次に、被記録媒体Ｐの保持部である保持部７について詳細に説明する。なお、保持部７は、被記録媒体Ｐとともにフランジ９を保持する。このため、保持部７は、被記録媒体Ｐの保持部であるとともにフランジ９の保持部でもある。  
図２及び図３は本実施例の保持部７を表す概略図であり、このうち、図２は保持部７の斜視図、図３は保持部７の一部であってフランジ９を介してロール状の被記録媒体Ｐを装着可能な装着部８ａの正面図である。  
なお、本実施例の記録装置１においては、セット部２及び巻取部４は同様の構成であるため、図２及び図３の保持部７はセット部２及び巻取部４の何れとしても使用可能である。
【００２５】
本実施例の保持部７は、フランジ９を介してロール状の被記録媒体Ｐの巻き芯１１を脱着可能な脱着部１０を備える装着部８を備えている。また、装着部８は、装着部８ａ及び８ｂと、交差方向Ｂにおいて両側に設けられている。そして、保持部７は、レール１２に沿って交差方向Ｂに装着部８ａ及び８ｂを移動させて、該装着部８ａ及び８ｂの脱着部１０でフランジ９を介して巻き芯１１を両側から挟みこむことにより、被記録媒体Ｐを保持可能な構成になっている。  
なお、本実施例の記録装置１は、保持部７を備える保持装置と言い換えることができる。
【００２６】
次に、本実施例のフランジ９について説明する。  
図４は、巻き芯１１にフランジ９を取り付けた状態で、これらを記録装置１から取り外した状態を表している。また、図５は、ロール状の被記録媒体Ｐを保持部７に保持させた状態（図５（Ａ））と、ロール状の被記録媒体Ｐを保持部７から取り外した状態（図５（Ｂ））と、を表している。
【００２７】
図４で表されるように本実施例のフランジ９はレバー１４を備えており、ユーザーは、該レバー１４を回転方向Ｄに移動させることにより、フランジ９の外周部１５から設置部１３を出し入れすることができる。  
すなわち、ユーザーは、図５（Ａ）で表されるような、ロール状の被記録媒体Ｐを保持部７に保持させた状態においては、記録を実行する際におけるフランジ９の回転方向Ｃへの回転移動が滑らかになるように、設置部１３を外周部１５から突出させない第１の状態にすることができる。  
一方、ユーザーは、図５（Ｂ）で表されるような、ロール状の被記録媒体Ｐを保持部７から外した状態においては、ロール状の被記録媒体Ｐに不具合を生じさせることなく保管可能になるように、設置部１３を外周部１５から突出させて設置部１３を脚部とする第２の状態にすることができる。  
なお、設置部１３は、フランジ９を床などの設置面に設置させる際に該設置面に接触する部分である。
【００２８】
ここで、図１５は、従来の記録装置（ホルダー方式の保持装置）において、ロール状の被記録媒体Ｐを保持部７に保持させた状態（図１５（Ａ））と、ロール状の被記録媒体Ｐを保持部７から取り外した状態（図１５（Ｂ））と、を表している。  
従来の記録装置においては、保持部７から取り外されたロール状の被記録媒体Ｐは、被記録媒体Ｐの第１の面Ｐ１又は第２の面Ｐ２を床などの設置面に接触させて設置させるか、巻き芯１１が該床などの設置面に交差する方向になるようにロール状の被記録媒体Ｐを立てて被記録媒体Ｐの幅方向側を設置面に接触させて設置させていた。  
第１の面Ｐ１又は第２の面Ｐ２を設置面に接触させて設置させると、第１の面Ｐ１及び第２の面Ｐ２に被記録媒体Ｐの重量がかかり、被記録媒体Ｐに形成された画像の損傷する場合や、被記録媒体Ｐの画像形成面が変形を生じる場合などがあった。また、ロール状の被記録媒体Ｐを立てて設置面に設置させると、被記録媒体Ｐの設置面に接触させて設置させた部分に重量がかかり、該部分及びその周辺部分が損傷する場合などがあった。
【００２９】
一方、本実施例のフランジ９を備えることで、図４及び図５（Ａ）で表されるように、被記録媒体Ｐに負荷をかけることなく保管することが可能になる。
【００３０】
次に、本実施例のフランジ９の詳細な構造について説明する。  
図６から図８は、設置部１３を外周部１５から突出させない、すなわち、外周部１５が第１の状態をとっているときのフランジ９を表す概略図である。また、図９は、外周部１５が第１の状態をとっているとき（図９（Ａ））と、設置部１３を外周部１５から突出させた、外周部１５が第２の状態をとっているとき（図９（Ｂ））と、におけるフランジ９を表す概略図である。また、図１０は、フランジ９の内部構造を表す概略図である。  
なお、本実施例のフランジ９は、外周部１５の第１の状態を、設置部１３を外周部１５から突出させない状態としている。しかしながら、該外周部１５の第１の状態を、設置部１３を外周部１５から突出させた状態であって、該外周部１５の第２の状態よりも設置部１３の外周部１５からの突出量が小さい状態としてもよい。
【００３１】
図６から図８で表されるように、本実施例のフランジ９は、外周部１５を有する円柱状部材２７と、ロール状の被記録媒体Ｐの巻き芯１１を取り付ける取付部１６とを備えている。また、外周部１５には孔部１７が設けられており、レバー１４を回転方向Ｄに移動させることにより孔部１７から設置部１３を出し入れすることが可能に構成されている。そして、孔部１７から設置部１３を出し入れすることにより、外周部１５に、設置部１３を外周部１５から突出させない第１の状態と、設置部１３を外周部１５から突出させる第２の状態と、を取らせることができる。
【００３２】
別の表現をすると、本実施例のフランジ９は、ロール状の被記録媒体Ｐを取り付ける取付部１６を備えている。そして、設置部１３を有し、第１の状態と該第１の状態から設置部１３を突出させた第２の状態とをとる外周部１５と、を備えている。このため、外周部１５を第２の状態とすることで、ロール状の被記録媒体Ｐが設置面に接触することや、該フランジ９が設置面を転がってしまうことなどを抑制している。すなわち、ロール状の被記録媒体Ｐを保管する際の不具合を抑制することが可能な構成になっている。
【００３３】
また、図６、図９及び図１０で表されるように、本実施例の設置部１３は、設置部１３ａ及び１３ｂで構成されている。そして、設置部１３ａは、接続部２１においてレバー１４が設けられたカム１９と接続し、接続部２３において円柱状部材２７と接続し、関節部２２を支点に曲げ伸ばし可能な構成になっている。また、設置部１３ｂは、接続部２４において円柱状部材２７と接続し、接続部２６においてカム１８と接続し、関節部２５を支点に曲げ伸ばし可能な構成になっている。  
例えば、図９（Ａ）で表される第１の状態の外周部１５において、レバー１４を回転方向Ｄのうちの回転方向Ｄ１に移動させると、設置部１３ａは関節部２２を支点に曲がり孔部１７から突出し、設置部１３ｂは関節部２５を支点に曲がり孔部１７から突出する。こうして、図９（Ｂ）で表される第２の状態になる。  
一方、図９（Ｂ）で表される第２の状態の外周部１５において、レバー１４を回転方向Ｄのうちの回転方向Ｄ２に移動させると、設置部１３ａ及び１３ｂは延ばされて孔部１７から突出しない状態になる。こうして、図９（Ａ）で表される第１の状態になる。  
本実施例の設置部１３の構成は、以上説明した構造になっているが、設置部の構成に特に限定はない。
【００３４】
なお、図６、図９及び図１０で表されるように、円柱状部材２７には円弧状の孔部２０が設けられ、レバー１４が孔部２０に沿って回転方向Ｄに移動することにより、設置部１３ａ及び１３ｂは孔部１７から出入りする。そして、図１０で表されるように、カム１９には円弧状の孔部２８が設けられ、接続部２６を構成するカム１８の突起部２９は、レバー１４の孔部２０に沿う回転方向Ｄへの移動に伴って、孔部２８に沿って回転方向Ｄに移動する。
【００３５】
本実施例のフランジ９は、このように、設置部１３に接続され円柱状部材２７に対して（即ち、外周部１５に対しても）移動可能なレバー１４を備えている。そして、このような構成になっていることにより、外周部１５は、レバー１４の移動に連動して第１の状態から第２の状態に変形することが可能に構成されている。  
このため、ユーザーは、レバー１４を移動することにより、簡単に、手動で外周部１５を第１の状態から第２の状態に変形することができる。  
なお、本実施例のレバー１４は、孔部２０に沿って回転方向Ｄに移動することにより、外周部１５を第１の状態から第２の状態に変形する構成であるが、このような構成に限定されない。例えば、円柱状部材２７に対するレバーの移動方向は、本実施例のレバー１４と異なる方向でもよく、また、直線移動であってもよい。
【００３６】
また、上記のように、本実施例のフランジ９は、複数の設置部１３ａ及び１３ｂを有することにより、設置部１３が１つの場合よりも効果的にフランジ９が設置面を転がってしまうことなどを抑制できる。  
また、本実施例のフランジ９では、上記のように、設置部１３ａはレバー１４が設けられたカム１９と接続されるとともに円柱状部材２７と接続し、設置部１３ｂはカム１８と接続されるとともに円柱状部材２７と接続されている。すなわち、レバー１４と各々の設置部１３ａ及び１３ｂとは直接又は間接的に接続され、外周部１５は、レバー１４の移動に連動して複数の孔部１７各々から設置部１３を突出させることで第１の状態から第２の状態に変形する。このため、複数の設置部１３ごとに複数のレバー１４を設ける構成よりも容易に第１の状態から第２の状態に変形することができる。  
ただし、このような構成に限定されず、レバー１４と設置部１３ａと設置部１３ｂとが直接接続されていてもよい。
【００３７】
ここで、本実施例のフランジ９は、カム１８、カム１９及び円柱状部材２７間の接触に伴う圧力（摩擦力）が適当な圧力になるように調整されており、レバー１４の位置を孔部２０の任意の位置で固定できるようになっている。すなわち、外周部１５は、第２の状態として、設置部１３の突出量の異なる複数の状態を取ることが可能に構成されている。  
このため、使用するロール状の被記録媒体Ｐのロール径に応じて、適切な突出量の第２の状態を取ることができる。ただし、このような構成に限定されず、レバー１４を、孔部２０の複数の特定の位置で固定できる構成としてもよいし、孔部２０の１カ所の位置でのみ固定できる構成としてもよい。
【００３８】
また、本実施例のフランジ９では、被記録媒体Ｐの巻き芯１１への取付方向から見た図に対応する図９で表されるように、該取付方向から見て外周部１５は円形である。このため、フランジ９を簡単に効率よく回転移動させることが可能である。  
特に、外周部１５においてフランジ９を保持する構成であって、外周部１５を回転させてロール状の媒体Ｐを送出又は巻き取る構成の保持部７を備える保持装置などに、有効に使用することができる。なお、本実施例の記録装置１では保持部７によるフランジ９の保持構成は取付部１６を脱着部１０に挿入する構成である。一方、外周部１５においてフランジ９を保持する構成例としては、図２で表されるような２本のレール１２をフランジ９の保持部として備える構成であって、被記録媒体Ｐが取り付けられたフランジ９の外周部１５を該２本のレール１２に載せることで保持する構成が挙げられる。  
ただし、外周部１５は、このような構成には限定されず、楕円形や多角形などとしてもよい。
【００３９】
［実施例２］（図１１から図１４）  
次に、実施例２のフランジ９について、添付図面を参照して詳細に説明する。  
図１１から図１４は本実施例のフランジ９を表す概略図である。そして、図１１（Ａ）、図１２（Ａ）、図１３（Ａ）及び図１４（Ａ）は、外周部１５が第１の状態をとっているときを表した図である。また、図１１（Ｂ）、図１２（Ｂ）、図１３（Ｂ）及び図１４（Ｂ）は、外周部１５が第２の状態をとっているときを表した図である。なお、上記実施例１のフランジ９と共通する構成部材は同じ符号で示しており、詳細な説明は省略する。  
なお、本実施例のフランジ９も、実施例１のフランジ９と同様、上記記録装置１で使用可能である。
【００４０】
実施例１のフランジ９は、ユーザーがレバー１４を手動で移動することにより、外周部１５を第１の状態から第２の状態に変形する構成であった。一方、本実施例のフランジ９は、装着部８の脱着部１０から取り外すことに対応して、自動で、外周部１５を第１の状態から第２の状態に変形することが可能な構成である。
【００４１】
すなわち、本実施例のフランジ９における外周部１５は、フランジ９を保持部７に保持させた状態では第１の状態をとり、フランジ９を保持部７から取り外した状態では第２の状態をとる。  
このため、フランジ９を保持部７に取り付けること及び取り外すことに伴って、自動で、外周部１５を第１の状態及び第２の状態に変形させることができる構成になっている。
【００４２】
詳細は後述するが、具体的には、本実施例の記録装置１において、フランジ９は、設置部１３と直接又は間接的に接続されるとともに外部から力を受けることにより移動するカム３２を備え、カム３２の移動により第２の状態から第１の状態に変形する。また、保持部７は、フランジ９の脱着部１０を備えている。そして、記録装置１は、脱着部１０にフランジ９を取り付けることに伴って、カム３２が移動して、フランジ９が第２の状態から第１の状態に変形するよう構成されている。  
このような構成により、本実施例の記録装置１は、フランジ９を保持部７に取り付けること及び取り外すことに伴って、自動で、外周部１５を第１の状態及び第２の状態に変形させることができる。
【００４３】
本実施例のフランジ９の具体的な構成について説明する。  
図１１及び図１２で表されるように、本実施例のフランジ９は、取付部１６に突起部３０が設けられている。また、取付部１６の内部には、バネ３１、カム３２及びカム３３が設けられており、バネ３１とカム３２の一部とは、突起部３０の内部に位置している。
【００４４】
ここで、図１１（Ａ）及び図１２（Ａ）で表される、外周部１５が第１の状態をとっているときにおいては、脱着部１０によりカム３２が方向Ｅ１に押されることにより、カム３２はカム３３に対して方向Ｅ１よりに位置する。  
一方、図１１（Ｂ）及び図１２（Ｂ）で表される、外周部１５が第２の状態をとっているときにおいては、バネ３１によりカム３２が方向Ｅ２に押されることにより、カム３２はカム３３に対して方向Ｅ２よりに位置する。
【００４５】
また、図１３（Ａ）で表されるように、カム３２には方向Ｅ１及びＥ２から見て斜めに向かう方向に構成された斜行部３７を有する溝部３５が構成されており、カム３３には溝部３５に嵌る突起部３６が構成されている。  
このような構成により、カム３２とカム３３とが図１３（Ａ）の位置関係から図１３（Ｂ）の位置関係に移行する（カム３２が方向Ｅ２に押される）と、カム３３はカム３２に対して回転方向Ｆ１に移動する。なお、本実施例のフランジ９はカム３４を備えており、カム３３はカム３４に対して、実施例１のフランジ９におけるカム１９に対するカム１８と同様な関係になっている。このため、カム３３がカム３２に対して回転方向Ｆ１に移動すると、カム３４はカム３３に対して回転方向Ｆ２に移動する。  
また、カム３２とカム３３とが図１３（Ｂ）の位置関係から図１３（Ａ）の位置関係に移行する（カム３２が方向Ｅ１に押される）と、カム３３はカム３２に対して回転方向Ｆ２に移動する。そして、カム３３のカム３２に対する回転方向Ｆ１への移動に対応して、カム３４はカム３３に対して回転方向Ｆ１に移動する。
【００４６】
ここで、図１４で表されるように、設置部１３は、設置部１３ａ及び１３ｂで構成されている。そして、設置部１３ａは、接続部３８においてカム３４と接続し、接続部４０において円柱状部材２７と接続し、関節部３９を支点に曲げ伸ばし可能な構成になっている。また、設置部１３ｂは、接続部４１において円柱状部材２７と接続し、接続部４３においてカム３３と接続し、関節部４２を支点に曲げ伸ばし可能な構成になっている。
【００４７】
そして、図１４（Ａ）で表される第１の状態の外周部１５において、カム３２がカム３３に対して方向Ｅ２に移動すると、設置部１３ａは関節部３９を支点に曲がり孔部１７から突出し、設置部１３ｂは関節部４２を支点に曲がり孔部１７から突出する。こうして、図１４（Ｂ）で表される第２の状態になる。  
一方、図１４（Ｂ）で表される第２の状態の外周部１５において、カム３２がカム３３に対して方向Ｅ１に移動すると、設置部１３ａ及び１３ｂは延ばされて孔部１７から突出しない状態になる。こうして、図１４（Ａ）で表される第１の状態になる。
【００４８】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４９】
本発明の第１の態様のフランジ９は、ロール状の媒体Ｐを取り付ける取付部１６と、設置部１３を有し、第１の状態と該第１の状態から設置部１３を突出させた第２の状態とをとる外周部１５と、を備えることを特徴とする。
【００５０】
ここで、「設置部」とは、フランジ９を床などの設置面に設置させる際に該設置面に接触する部分を意味する。  
本態様によれば、外周部１５は、第１の状態と、該第１の状態から設置部１３を突出させた第２の状態と、をとる。このため、外周部１５を第２の状態とすることで、例えば、媒体Ｐが設置面に接触すること、該フランジ９が設置面を転がってしまうことなどを抑制することが可能になる。したがって、ロール状の媒体Ｐを保管する際の不具合を抑制することが可能になる。
【００５１】
本発明の第２の態様のフランジ９は、前記第１の態様において、設置部１３に接続され、外周部１５に対して移動可能なレバー１４を備え、外周部１５は、レバー１４の移動に連動して前記第１の状態から前記第２の状態に変形することを特徴とする。
【００５２】
本態様によれば、設置部１３に接続され、外周部１５に対して移動可能なレバー１４を備え、外周部１５はレバー１４の移動に連動して第１の状態から第２の状態に変形する。このため、レバー１４を移動することにより簡単に外周部１５を第１の状態から第２の状態に変形することができる。
【００５３】
本発明の第３の態様のフランジ９は、前記第１又は第２の態様において、外周部１５は、前記第２の状態として、設置部１３の突出量の異なる複数の状態を取ることが可能に構成されていることを特徴とする。
【００５４】
本態様によれば、外周部１５は、第２の状態として設置部１３の突出量の異なる複数の状態を取ることが可能に構成されている。このため、使用するロール状の媒体Ｐのロール径に応じて、適切な突出量の第２の状態を取ることができる。
【００５５】
本発明の第４の態様のフランジ９は、前記第１から第３のいずれか１つの態様において、外周部１５は、ロール状の媒体Ｐへの取付方向から見て円形であることを特徴とする。
【００５６】
本態様によれば、ロール状の媒体Ｐへの取付方向から見て外周部１５は円形である。このため、フランジ９を簡単に効率よく回転させることができる。  
特に、外周部１５においてフランジ９を保持する構成であって、外周部１５を回転させてロール状の媒体Ｐを送出又は巻き取る構成の保持部７を備える保持装置１などに、有効に使用することができる。
【００５７】
本発明の第５の態様のフランジ９は、前記第２の態様において、設置部１３を複数有するとともに、外周部１５には設置部１３の数に対応した複数の孔部１７が設けられ、レバー１４と各々の設置部１３ａ及び１３ｂとは接続され、外周部１５は、レバー１４の移動に連動して複数の孔部１７各々から設置部１３を突出させることで前記第１の状態から前記第２の状態に変形することを特徴とする。
【００５８】
本態様によれば、複数の設置部１３ａ及び１３ｂを有する。このため、設置部１３が１つの場合よりも効果的にフランジ９が設置面を転がってしまうことなどを抑制できる。  
また、本態様によれば、レバー１４と各々の設置部１３ａ及び１３ｂとは接続され、外周部１５は、レバー１４の移動に連動して複数の孔部１７各々から設置部１３を突出させることで前記第１の状態から前記第２の状態に変形する。このため、複数の設置部１３ごとに複数のレバー１４を設ける構成よりも容易に前記第１の状態から前記第２の状態に変形することができる。
【００５９】
本発明の第６の態様の保持装置１は、前記第１から第５のいずれか１つの態様のフランジ９を保持する保持部７を備えることを特徴とする。
【００６０】
本態様によれば、保持装置１はフランジ９を保持する保持部７を備える。このため、ロール状の媒体Ｐを保管する際の不具合を抑制することが可能なフランジ９を使用することができる。
【００６１】
本発明の第７の態様の保持装置１は、前記第６の態様において、外周部１５は、フランジ９を保持部７に保持させた状態では前記第１の状態をとり、フランジ９を保持部７から取り外した状態では前記第２の状態をとることを特徴とする。
【００６２】
本態様によれば、外周部１５は、フランジ９を保持部７に保持させた状態では第１の状態をとり、フランジ９を保持部７から取り外した状態では第２の状態をとる。このため、フランジ９を保持部７に取り付けること及び取り外すことに伴って、自動で、外周部１５を第１の状態及び第２の状態に変形させることができる。
【００６３】
本発明の第８の態様の保持装置１は、前記第７の態様において、フランジ９は、設置部１３と接続されるとともに外部から力を受けることにより移動するカム３２を備え、カム３２の移動により前記第２の状態から前記第１の状態に変形し、保持部７は、フランジ９の脱着部１０を備え、保持装置１は、脱着部１０にフランジ９を取り付けることに伴って、カム３２が移動して、フランジ９が前記第２の状態から前記第１の状態に変形するよう構成されていることを特徴とする。
【００６４】
本態様によれば、フランジ９は、設置部１３と接続されるとともに外部から力を受けることにより移動するカム３２を備え、カム３２の移動により前記第２の状態から前記第１の状態に変形する。また、保持部７は、フランジ９の脱着部１０を備えている。そして、保持装置１は、脱着部１０にフランジ９を取り付けることに伴って、カム３２が移動して、フランジ９が前記第２の状態から前記第１の状態に変形するよう構成されている。このような構成により、フランジ９を保持部７に取り付けること及び取り外すことに伴って、自動で、外周部１５を第１の状態及び第２の状態に変形させることができる。
【００６５】
本発明の第９の態様の記録装置１は、前記第１から第５のいずれか１つの態様のフランジ９を保持する保持部７と、保持部７に保持されたロール状の媒体Ｐに記録する記録部６と、を備えることを特徴とする。
【００６６】
本態様によれば、記録装置１はフランジ９を保持可能な保持部７を備える。このため、ロール状の媒体Ｐを保管する際の不具合を抑制することが可能なフランジ９を使用することができる。
【符号の説明】
【００６７】
１  記録装置（保持装置）、２  セット部、３  プラテン、４  巻取部、
５  キャリッジ、６  記録ヘッド（記録部）、７  保持部、８  装着部、９  フランジ、
１０  脱着部、１１  被記録媒体Ｐの巻き芯、１２  レール、１３  設置部、
１４  レバー、１５  外周部、１６  取付部、１７  孔部、１８  カム、１９  カム、
２０  孔部、２１  接続部、２２  関節部、２３  接続部、２４  接続部、
２５  関節部、２６  接続部、２７  円柱状部材、２８  孔部、２９  突起部、
３０  突起部、３１  バネ、３２  カム、３３  カム、３４  カム、３５  溝部、
３６  突起部、３７  斜行部、３８  接続部、３９  関節部、４０  接続部、
４１  接続部、４２  関節部、４３  接続部、Ｐ  被記録媒体（媒体）、
Ｐ１  被記録媒体Ｐの第１の面、Ｐ２  被記録媒体Ｐの第２の面
【図１】
2016074537.tif 000003
【図２】
2016074537.tif 000004
【図３】
2016074537.tif 000005
【図４】
2016074537.tif 000006
【図５】
2016074537.tif 000007
【図６】
2016074537.tif 000008
【図７】
2016074537.tif 000009
【図８】
2016074537.tif 000010
【図９】
2016074537.tif 000011
【図１０】
2016074537.tif 000012
【図１１】
2016074537.tif 000013
【図１２】
2016074537.tif 000014
【図１３】
2016074537.tif 000015
【図１４】
2016074537.tif 000016
【図１５】
2016074537.tif 000017